(57)【要約】【目的】画像の品質を維持しながら省エネ化を図る。【構成】画像形成装置において、定着装置６０に設けた定着ローラ６１の異なる位置を加熱する中央ヒータ６７及び端部ヒータ６８を設けると共に、定着ローラ６１の異なる位置の温度を検出する中央温度センサ７１及び端部温度センサ７２を設ける。そして、各温度センサにより検出された温度と所定の目標温度との差に従って各ヒータの出力を個別に制御するようにする。あるいは、各温度センサ間の検出温度差と所定の目標温度とに従って各ヒータの出力を個別に制御するようにしてもよい。【選択図】        図２
2005077454.tif 000002
【特許請求の範囲】
【請求項１】
定着部材と該定着部材の異なる位置を加熱する複数の加熱源とを備えた定着装置を有する画像形成装置であって、
前記定着部材の異なる位置の温度を検出する複数の温度検出手段と、
前記温度検出手段により検出された温度と所定の目標温度との差に従って前記複数の加熱源の出力を個別に制御する制御手段とを設けたことを特徴とする画像形成装置。
【請求項２】
定着部材と該定着部材の異なる位置を加熱する複数の加熱源とを備えた定着装置を有する画像形成装置であって、
前記定着部材の異なる位置の温度を検出する複数の温度検出手段と、
該各温度検出手段間の検出温度の差と所定の目標温度とに従って前記複数の加熱源の出力を個別に制御する制御手段とを設けたことを特徴とした画像形成装置。
【請求項３】
通電時間デューティーの制御により、前記各加熱源の出力を任意に可変可能としたことを特徴とする請求項１又は２に記載の画像形成装置。
【発明の詳細な説明】
【技術分野】
【０００１】
この発明は、シート上に画像を形成する画像形成装置に関し、より詳細には、定着手段における定着部材の加熱の制御に特徴を有する画像形成装置に関する。
【背景技術】
【０００２】
従来から、シート上に画像を形成する種々の画像形成装置が知られているが、このような画像形成装置の中には、一旦シート上に形成した画像を、加熱、加圧によってシートに定着させる方式の装置がある。
例えば、電子写真方式による画像形成装置では、帯電チャージャにて帯電した感光体に画像情報に基づき変調された光を当てて潜像を作成し、これをトナーで現像した上で用紙に転写するが、この画像は、ヒータで加熱される定着ローラと、定着ローラに当接し、定着ローラとの間で転写紙を挟持し加圧搬送する加圧ローラとを有する定着装置によって用紙上に定着される。
【０００３】
このような画像形成装置において、画像を用紙上に品質よく定着させるためには、定着ローラの表面を適切な温度に保つ必要がある。しかし、全体としては概ね適切な温度であっても、定着ローラ表面温度にムラがあると、定着時に用紙にしわが生じたり、画質にムラが生じたりしてしまう。従って、定着ローラ表面を均一な温度に保つ必要もある。
このため、画像の定着を行う画像形成装置においては、定着手段における温度制御が重要である。
【０００４】
このような温度制御に関する技術としては、例えば、特許文献１に、軸線方向のほぼ中央部を加熱する加熱ヒータと軸線方向のほぼ両端部を加熱する加熱ヒータとを設けた定着ローラと、それぞれの加熱ヒータに対応する定着ローラの表面温度を検出する手段とを備え、定着ローラの表面温度が設定した温度になるよう前記加熱ヒータをオンオフ制御する画像形成装置が記載されている。
【特許文献１】特開平１１−６５３５６号公報
【０００５】
また特許文献２には、メインと補助の二つの加熱源を定着ローラに設け、電源オン時はメインヒータのみを電源回路につないで高エネルギーで早急に設定温度まで加熱させる第１のモードで温度制御し、設定温度に達した後は、その第１のモードと、メイン加熱源と補助加熱源を直列に電源回路につないで加熱に用いる第２のモードとを、温度センサの出力に応じて適宜切り替えて温度制御する画像形成装置が記載されている。
【特許文献２】特開２００２−３１８５０４号公報
【発明の開示】
【発明が解決しようとする課題】
【０００６】
ところで、近年においては、環境問題の高まりと共に、省エネが重要視されており、これは画像形成装置にも当てはまる。そして、画像の定着は、画像形成装置においてエネルギー消費の大きな工程の一つであり、この部分での省エネを行えば、装置全体として大きな省エネを図ることができる。
この点について、特許文献１には定着ローラの表面が転写材の種類に応じた温度になるよう加熱手段を制御することが記載されているが、具体的にどのように制御するかは記載されておらず、省エネに関する言及はない。
また、特許文献２に記載の画像形成装置では、定着ローラの温度分布の均一化や省電力化をある程度行うことができるが、制御に必要な情報や制御の自由度が十分でないため、必ずしも十分な効果は得られなかった。
【０００７】
この発明は、上記の点に鑑みてなされたものであり、画像をシートに定着させる定着手段を有する画像形成装置において、画像の品質を維持しながら省エネ化を図ることを目的とする。
【課題を解決するための手段】
【０００８】
この発明は上記の目的を達成するため、定着部材とその定着部材の異なる位置を加熱する複数の加熱源とを備えた定着装置を有する画像形成装置において、上記定着部材の異なる位置の温度を検出する複数の温度検出手段と、上記温度検出手段により検出された温度と所定の目標温度との差に従って上記複数の加熱源の出力を個別に制御する制御手段とを設けたものである。
【０００９】
また、定着部材とその定着部材の異なる位置を加熱する複数の加熱源とを備えた定着装置を有する画像形成装置において、上記定着部材の異なる位置の温度を検出する複数の温度検出手段と、その各温度検出手段間の検出温度の差と所定の目標温度に従って上記複数の加熱源の出力を個別に制御する制御手段とを設けたものである。
また、これらの画像形成装置において、通電時間デューティーの制御により、上記各加熱源の出力を任意に可変可能とすると良い。
【発明の効果】
【００１０】
このような画像形成装置によれば、定着部における加熱源の出力を適切に制御し、画像の品質を維持しながら省エネ化を図ることができる。
【発明を実施するための最良の形態】
【００１１】
以下、この発明を実施するための最良の形態を図面に基づいて具体的に説明する。
まず、この発明の画像形成装置の実施形態である複写機の構成について説明する。図１は、その複写機の構成を示す概略構成図である。
この複写機は、図１に示すように、自動原稿給送装置（ＡＤＦ）１、読み取り部２、給紙部３、画像形成部５等を備えている。そして、読み取り部２によって原稿の画像を読み取り、その画像データに基づいて、給紙部３から給紙する用紙上に画像形成部５によって電子写真プロセスで画像を形成する装置である。
【００１２】
この複写機において、ユーザがＡＤＦ１上に原稿を載置して操作パネルからコピー動作を指示すると、ＡＤＦ１上に載置された原稿は図示しない搬送機構により１枚づつ順次読み取り部２の所定の位置に搬送し、読み取り部２が内蔵しているスキャナによってその原稿の画像を画像データとして読み取る。そして、読み取った画像データに基づいて、画像形成部５に備える感光体ドラム５１上に静電潜像を形成し、これをトナーによって現像して顕像化する。
【００１３】
一方、給紙部３では、給紙トレイ３１に種々の用紙を収納しているが、上記コピー動作が指示されると、選択された種類、サイズ及び向きの用紙をピックアップして縦搬送部３２によって画像形成部５まで搬送する。そして、図示しないレジストローラによって感光体ドラム５１上に形成したトナー像とタイミングを合わせて給紙し、搬送ベルト５２によって搬送しながらトナー像を用紙上に転写する。
そして、転写後の用紙を定着装置６０に搬送し、表面が加熱された定着ローラ６１と定着ローラ６１に圧接している加圧ローラ６２によってトナー像を用紙に熱定着させる。その後、搬送ローラ８１及び切換爪８２等からなる搬送機構にて用紙を排紙トレイ８３又はフィニッシャ８に排出して、コピー動作を終了する。
【００１４】
次に、この複写機に備えた定着装置６０の構成について説明する。図２は、その定着装置の概略構成を示す斜視図である。
この定着装置は、上述したように、定着部材である定着ローラ６１及びこれに圧接する加圧ローラ６２を備え、定着ローラ６１を加熱した上でこの２つのローラ間に用紙３１を通して加熱、加圧することにより、用紙上に形成した顕像（ここではトナー像）を用紙に定着させる装置である。
【００１５】
そして、定着ローラ６１は薄肉の金属性パイプにより円筒状に形成されており、一端部にはギア６３が固着され、モータ６５の回転をギア６６を介してこのギア６３に伝達して定着ローラ６１を回動させることが可能となっている。また、定着ローラ６１の内側には加熱源としてヒータ６４を配設している。ヒータ６４は棒状のガラス管の中に発熱コイルを貫入した構成であり、ここに通電することにより定着ローラ６１を加熱することができる。
一方、加圧ローラ６２は、定着ローラ６１に圧接しながら回転可能に軸支されており、定着ローラ６１の回転に応じて回転し、定着ローラ６１との間で用紙３１を圧接搬送することができる。
【００１６】
ところで、この定着装置６０において、ヒータ６４としては、中央ヒータ６７と端部ヒータ６８の２つの加熱源を備えている。そして、このうち中央ヒータ６７は中央部の発熱コイルの密度を高くし、端部ヒータ６８はその逆に端部の発熱コイルの密度を高くしている。
これらの各ヒータにおける定着ローラ６１の軸方向の発熱量分布を図３に示すが、上記の発熱コイルの密度差から、図３（ａ）に示す中央ヒータ６７は中央部での発熱量が大きく、図３（ｂ）に示す端部ヒータ６８は端部での発熱量が大きくなっている。従って、この定着装置６０においては、定着ローラ６１の加熱位置が異なる複数のヒータを設けた構成となっていると言える。
そして、中央ヒータ６７と端部ヒータ６８は発熱量分布についてお互いに補間関係にあり、中央ヒータ６７と端部ヒータ６８を同時に同出力で通電すれば、定着ローラ６１を全体的にほぼ均一に加熱することができる。
【００１７】
また、定着ローラ６１には、その表面温度を検出する温度検出手段として、定着ローラ６１の軸方向中央部に配置した中央温度センサ７１と、同じく端部に配置した端部温度センサ７２とからなる温度センサ７０を設けている。この温度センサ７０としては、例えばサーミスタを用いることができる。
そして、ここでは各温度センサは各ヒータによる加熱位置と対応する位置の温度を検出するように設けており、定着ローラ６１の異なる位置の温度を検出する複数の温度検出手段を設けた構成となっている。また、温度センサ７０による検出結果はこの複写機の主制御部に出力され、その主制御部がその検出結果に従って各ヒータ６４の出力を制御し、定着ローラ６１の全体が均一な温度でかつ所定の目標温度になるようにしている。
【００１８】
ここで、主制御部を中心にしたこの複写機の構成を図４のブロック図に示す。
この図に示すように、この複写機のエンジン部１０１、操作パネル１０２、温度センサ７０、ヒータ６４等は、ＣＰＵ１１１，ＲＯＭ１１２，ＲＡＭ１１３等からなる主制御部１１０と、システムバス１２０によって接続されている。
主制御部１１０は、この複写機全体を統括制御する制御手段であり、ＣＰＵ１１１がＲＯＭ１１２に記憶された所要の制御プログラムを実行することにより、各部の動作を制御する。温度センサ７０の検出結果に基づいたヒータ６４の出力制御も、このＣＰＵ１１１が行う。
【００１９】
ＲＯＭ１１２は、ＣＰＵ１１１が実行する制御プログラムや固定データ等を記憶する不揮発性記憶手段であり、ＥＥＰＲＯＭ等の書き換え可能な記憶手段で構成して、技術の進歩に応じて制御プログラムをアップデートできるようにしてもよい。ＲＡＭ１１３は、ＣＰＵ１１１のワークメモリとして使用したり、画像データを記憶する画像メモリとして使用したりする記憶手段である。
【００２０】
このような複写機において画像を形成する場合、定着装置６０に設けた定着ローラ６１の表面温度が定着に適した温度から外れていると、良好な画像定着が行われず、画像品質の劣化につながる。また、定着ローラ６１の表面温度が均一でないと、用紙にシワが生じたりして定着不良の要因となる。
そこで、この複写機においては、主制御部１１０で温度センサ７０の検出結果に基づいてヒータ６４への通電量を制御することによりその出力を制御し、定着ローラ６１の表面温度が全体的に均一に定着に適した所定の目標温度になるようにしている。
【００２１】
この発明は、この制御の方式に特徴を有するので、次に、この制御のための処理について説明する。なお、通電量の設定は、１周期当たりどれだけの時間ヒータに通電するか、すなわち通電時間デューティーを制御することにより行っている。当然、ヒータの発熱量は通電時間を長くすれば大きくなり、短くすれば小さくなる。
【００２２】
この制御例を図５に示す。この図には、１周期を１秒とし、中央ヒータ６７と端部ヒータ６８の両方の通電量を７５％とする場合の例を示しており、この場合、中央ヒータ６７については１秒のうち始めの７５０ミリ秒をＯＮ、次の２５０ミリ秒をＯＦＦとし、端部ヒータ６８については始めの２５０ミリ秒をＯＦＦ、次の７５０ミリ秒をＯＮとする。
このような制御を行うようにしたことにより、各ヒータへの通電量は任意に可変可能となり、温度センサの検出結果に応じた細かな出力制御が可能となっている。
【００２３】
ヒータの通電量についてはこのような制御を行うため、以下の説明において、各ヒータへの通電量は、１周期に占める通電（ＯＮ）時間の割合で表記するものとする。ＯＮ時の電圧や電流については、複写機の電源やヒータの性能に応じて適当な値に設定すればよい。
各ヒータへの通電量の制御の処理は、図６乃至図８のフローチャートに示す。
【００２４】
この複写機において、ＣＰＵ１１１は、主電源の投入後所定の初期化処理が終了すると、図６のフローチャートに示す処理を開始する。そして、まずステップＳ１において、電源ＯＮ時か判断し、電源ＯＮ時であればステップＳ２に進む。この判断は、電源ＯＮ時には所定のフラグを立てておくようにし、そのフラグを参照して行うことができ、始めは必ずステップＳ２に進むことになる。なお、省電力モードからの復帰時も電源ＯＮ時と同様な取り扱いにするとよい。
【００２５】
ステップＳ２では、温度センサ７０を構成する全てのセンサの検出温度が目標温度以上か否か判断する。そして、１つでも目標温度に達していなければ、ステップＳ３に進んでヒータ６４を構成する全てのヒータについて通電量を１００％に設定する。そして、ステップＳ２で全てのセンサの検出温度が目標温度以上になるまでステップＳ２とＳ３を繰り返す。
ステップＳ２で目標温度以上になると、もはや定着ローラ６１の加熱は不要であるので、ステップＳ４に進んで全てのヒータについて通電量を０％にし、ステップＳ５に進む。そして、ステップＳ５で温度センサ７０を構成するセンサの検出温度が少なくとも１箇所目標温度以下になるまでその状態を維持し、いずれかのセンサで目標温度以下になると、再度定着ローラ６１を加熱するため、ヒータの出力を適切な値に設定すべく、図７のステップＳ７に進む。
【００２６】
一方、ステップＳ１で電源ＯＮ時でなければ、ステップＳ６に進んで画像出力終了時か否か判断する。ここで、画像出力終了時とは、定着装置６０を用紙３１が通過した時点のことである。そして、例えば図示しないセンサを設けて用紙の位置を検出し、定着装置６０を通過した時点でフラグを立てておくようにすれば、このフラグを参照してステップＳ６の判断を行うことができる。
ステップＳ６で画像出力終了時であれば、定着ローラ６１の熱が用紙３１に奪われて表面温度が低下していると考えられるため、ステップＳ２に進んで電源ＯＮ時と同様な制御を行い、定着ローラ６１を速やかに加熱する。
また、ステップＳ６で画像終了時でなければ、そのままステップＳ５に進む。
以上の処理において、ステップＳ２乃至Ｓ４におけるヒータの出力制御が第１のモードの制御であり、急速に定着ローラ６１を加熱する場合の制御である。
【００２７】
次に、図７のフローチャートの説明に移る。
図６のステップＳ５の判断がＹＥＳになると、処理は図７のステップＳ７に進む。そして、中央温度センサ７１の検出温度Ｍが目標温度から予め定めた温度差Ｘ１（０以上）を減じた値（以下、「目標温度−Ｘ１」という）未満か否か判断する。そして、目標温度−Ｘ１未満であれば、ステップＳ８に進んで今度は端部温度センサ７２の検出温度Ｅが目標温度−Ｘ１未満か否か判断する。そして、ステップＳ８でも目標温度−Ｘ１未満であれば、図８のステップＳ１２に進む。
【００２８】
また、ステップＳ８で端部温度センサ７２の検出温度Ｅが目標温度−Ｘ１以上であれば、定着ローラ６１の中央部の温度が低く、ここを中心的に加熱する必要があることがわかるので、ステップＳ９に進んで中央ヒータ６７の通電量を１００％、端部ヒータ６８の通電量を５０％に設定する。その後、図６のステップＳ１に戻って処理を繰り返す。
また、ステップＳ７で中央温度センサ７１の検出温度Ｍが目標温度−Ｘ１以上であれば、ステップＳ１０に進んで端部温度センサ７２の検出温度Ｅが目標温度−Ｘ１未満か否か判断する。そして、目標温度−Ｘ１未満であれば、定着ローラ６１の端部の温度が低く、ここを中心的に加熱する必要があることがわかるので、ステップＳ１１に進んで中央ヒータ６７の通電量を５０％、端部ヒータ６８の通電量を１００％に設定する。その後、図６のステップＳ１に戻って処理を繰り返す。
ステップＳ１０で端部温度センサ７２の検出温度Ｅが目標温度−Ｘ１以上であれば、図８のステップＳ１２に進む。
【００２９】
以上の図７に示した処理におけるヒータの出力制御が、第２のモードの制御であり、このモードでは、温度センサにより検出された温度と所定の目標温度との差に従って複数のヒータの出力を個別に制御する。ここでは、１つのセンサのみ検出温度が目標温度−Ｘ１未満である場合に、そのセンサと対応する位置を加熱するため、その位置を加熱するヒータの通電量を１００％としている。他方のヒータの通電量は、それより低い適当な値にすればよく、低いほど省エネ化を図ることができるが、ヒータの出力にあまり差をつけると定着ローラ６１に温度ムラが生じるので、ここでは５０％に設定している。
このように、目標温度までの差が大きい部分を加熱するヒータのみの出力を一時的に大きくするようにしたことにより、全体を加熱する場合よりも消費電力を低減することができる。
また、ステップＳ９又はＳ１１でヒータの通電量を設定した場合、電源ＯＮ時でも画像出力終了時でもなければステップＳ１→Ｓ６→Ｓ５と進み、ここでまだ検出温度が目標温度以下であれば、再度図７のステップＳ７以降の処理を行うことになる。
【００３０】
次に、図８のフローチャートの説明に移る。
図７のステップＳ８の判断がＹＥＳ又はステップＳ１０の判断がＮＯになると、処理は図８のステップＳ１２に進む。そして、中央温度センサ７１の検出温度Ｍと端部温度センサ７２の検出温度Ｅとの差の絶対値が予め定めた温度差Ｘ２（０以上）より大きいか否か判断する。そして、これがＸ２より大きければ、ステップＳ１３に進んで今度は中央温度センサ７１の検出温度Ｍが端部温度センサ７２の検出温度Ｅより大きいか否か判断する。
【００３１】
ここでＭの方が大きければ、定着ローラ６１は中央部と端部で温度差がある程度あり、かつ中央部の方が温度が高いことがわかるので、端部を強めに加熱すべく、ステップＳ１４に進んで、中央ヒータ６７の通電量を６０％、端部ヒータ６８の通電量を９０％に設定する。一方、ＥがＭ以上であれば、逆に端部の方が温度が高い（又は同じ）ことがわかるので、ステップＳ１５に進んで、中央部を強めに加熱すべく、中央ヒータ６７の通電量を９０％、端部ヒータ６８の通電量を６０％に設定する。いずれの場合も、その後は図６のステップＳ１に戻って処理を繰り返す。
また、ステップＳ１２で絶対値がＸ２以下であれば、定着ローラ６１の温度は概ね均一に低下していることがわかるので、均一に加熱すべく、ステップＳ１６に進んで、中央ヒータ６７の通電量と端部ヒータ６８の通電量とをそれぞれ７５％に設定する。その後は図６のステップＳ１に戻って処理を繰り返す。
【００３２】
以上の図８に示した処理におけるヒータの出力制御が、第３のモードの制御であり、このモードでは、複数の温度センサ間の検出温度差と目標温度とに従って複数のヒータの出力を個別に制御する。ここでは、温度差が大きい場合に、検出温度の低い方のセンサと対応する位置を加熱するため、その位置を加熱するヒータの出力を９０％としている。他方のヒータの出力は、それより低い適当な値にすればよく、低いほど省エネ化を図ることができるが、ヒータの出力にあまり差をつけると定着ローラ６１に温度ムラが生じるので、ここでは６０％に設定している。温度差が小さい場合には、全体を均一に加熱するため、双方のヒータの出力を７５％に設定している。
このように、定着ローラ６１の温度差が大きい場合に、温度が低い部分を加熱するヒータの出力を一時的に大きくすることにより、定着ローラ６１の表面温度を早急に均一化することができる。従って、緊急に画像形成を行う必要が生じた場合でも、安定した画像品質で画像を形成し、用紙のシワも防止することができる。
【００３３】
また、ステップＳ１４，Ｓ１５又はＳ１６でヒータの通電量を設定した場合、電源ＯＮ時でも画像出力終了時でもなければステップＳ１→Ｓ６→Ｓ５と進み、ここでまだ検出温度が目標温度以下であれば、再度図７のステップＳ７以降の処理を行い、その時点での検出温度に応じた制御を行うことになる。
【００３４】
ここで、図９に、各温度センサの検出温度と、電源ＯＮ時でも画像出力終了時でもない場合に適用される制御モードとの関係を示す。
この図に示すように、いずれかの温度センサの検出温度が目標温度以下になった場合、第２又は第３のモードで制御を行うことになる。ただし、温度差Ｘ１は任意に設定する値である。
【００３５】
この複写機のＣＰＵ１１１は、電源ＯＮ中に以上のような処理を繰り返すことにより、ヒータの出力を制御して、定着ローラ６１の表面温度が均一に所定の目標温度になるようにしている。このような処理を行うことにより、画像の品質を維持しながら省エネ化を図ることができる。そして、この複写機においては、各ヒータの出力を任意に可変可能としているので、温度センサの出力に応じた最適な出力を設定でき、上記の効果を十分に得ることができる。
また、電源ＯＦＦ時や省電力モードへの移行時については、所定の割り込み処理を行うことにより、処理を中断してヒータをＯＦＦするようにしている。
【００３６】
なお、以上の実施形態においては、加熱源として２つのヒータを設けた例について説明したが、３つ以上のヒータを設けてもよいことはもちろんである。この場合において、各ヒータの発熱分布が互いに異なるようにするとよい。加熱源の構成についても、発熱コイルを有するものに限られることはなく、セラミックヒータやインダクションヒータ（ＩＨ）も使用可能である。電気を使用する加熱源に限られることもない。
また、ここでは通電時間デューティーの制御によりヒータの出力を制御する例について説明したが、電流や電圧を制御するようにしてもよい。出力の具体的な設定値も、上述のものに限られることはない。上述の実施形態では、第２及び第３のモードでは２つのヒータに対する通電量の合計が常に１５０％になるようにし、第１のモードに比べて消費電力を低減するようにしているが、状況に応じてこの合計値を変動させるようにしてもよい。
【００３７】
センサについては、温度検出位置を各ヒータの加熱位置と対応させることは必須ではない。また、３つ以上の位置で定着ローラ６１の温度を検出できるように設けてもよい。異なる位置の温度を検出する機能を有するものであれば、物理的に複数に分割して設けることも必須ではない。
定着部材についても、ローラ状のものだけでなく、平板状、あるいはベルト状の部材を使用した装置にもこの発明を適用することができる。画像形成装置における画像形成方式も、電子写真方式に限られることはない。この発明は、対象に形成した画像を加熱定着させる方式であれば、どのような方式を用いる装置にも適用することができる。
また、画像形成装置の例として複写機について説明したが、プリンタ、ファクシミリ装置、デジタル複合機等の他の画像形成装置にも適用可能である。画像形成の対象も、紙に限られることはなく、樹脂シート、布等も考えられる。
【産業上の利用可能性】
【００３８】
以上説明してきたように、この発明によれば、画像形成装置において、画像の品質を維持しながら省エネ化を図ることができる。従って、この発明を利用することにより、画像の品質を維持しながら消費電力を低減した複写機、プリンタ、ファクシミリ装置、デジタル複合機等を構成することができる。
【図面の簡単な説明】
【００３９】
【図１】この発明の画像形成装置の実施形態である複写機の構成を示す概略構成図である。
【図２】その複写機に備えた定着装置の概略構成を示す斜視図である。
【図３】その定着装置に設けた各ヒータにおける定着ローラの軸方向の発熱量分布を示す図である。
【図４】図１に示した複写機の構成を主制御部を中心に示すブロック図である。
【図５】図１に示した複写機におけるヒータの出力制御方式について説明するための図である。
【図６】図１に示した複写機におけるヒータの出力制御処理を示すフローチャートである。
【図７】図６の続きの処理を示すフローチャートである。
【図８】図７の続きの処理を示すフローチャートである。
【図９】図１に示した複写機における、各温度センサの検出温度と、適用される制御モードとの関係を示す図である。
【符号の説明】
【００４０】
１：ＡＤＦ              ２：読み取り部
３：給紙部              ５：画像形成部
６０：定着装置          ６１：定着ローラ
６２：加圧ローラ        ６４：ヒータ
６７：中央ヒータ        ６８：端部ヒータ
６９：温度センサ        ７１：中央温度センサ
７２：端部温度センサ
【図１】
2005077454.tif 000003
【図２】
2005077454.tif 000004
【図３】
2005077454.tif 000005
【図４】
2005077454.tif 000006
【図５】
2005077454.tif 000007
【図６】
2005077454.tif 000008
【図７】
2005077454.tif 000009
【図８】
2005077454.tif 000010
【図９】
2005077454.tif 000011